(57)【要約】【課題】本発明はシャツのアイロン掛け機を開示した。【解決手段】機械本体を含み、前記機械本体の中には作動チャンバが設置され、前記作動チャンバの下端には駆動スライド溝が設置され、前記電熱線を開け、前記水タンク溝の中に水を水蒸気になるまで加熱することができ、水蒸気が前記ホースを通して前記アイロン掛け板の中に入ることができ、本装置は伝統的なアイロン掛けの速度が遅い欠点を解消でき、上下に二回移動すればシャツ全体にアイロン掛けることができ、それと同時に本装置には車輪が設置されていることにより日常に使用する時の出し入れに便利であり、本装置は機械の伝動係合により、ミスする可能性を下げ、装置のコストを節約し、且つ省エネルギーである。【選択図】図１
2020175090.tif 000002
【特許請求の範囲】
【請求項１】
機械本体を含み、前記機械本体の中には作動チャンバが設置され、前記作動チャンバの下端には駆動スライド溝が設置され、前記駆動スライド溝と前記作動チャンバとの間には支持ロッド溝が左右対称的に連通するように連結され、前記作動チャンバの後端壁には親ねじモータが設置され、前記親ねじモータの前端には親ねじが動力が伝達できるように連結され、前記親ねじの前端が前記駆動スライド溝の前端壁と回転可能に連結され、前記親ねじには駆動ブロックがねじ山によって連結され、前記駆動ブロックの中には動力チャンバが設置され、前記動力チャンバの下端壁には縦軸が左右対称的に設置され、その中、左端の前記縦軸の下端には昇降モータが動力が伝達できるように連結され、前記昇降モータが前記動力チャンバの下端壁と固定的に連結され、右端の前記縦軸の下端が前記動力チャンバの下端壁と回転できるように連結され、二つの前記縦軸がそれぞれ上方に伸びており、且つ前記作動チャンバの中に入っており、前記縦軸の下端にはそれぞれプーリが固定的に設置され、二つの前記プーリの間にはベルトが連結され、前記縦軸のうち前記作動チャンバの中に位置する部分にはアイロン掛け板がねじ山により連結され、前記アイロン掛け板の中には空気室が設置され、前記空気室の後端壁には小穴が設置され、前記空気室の上端壁には抜き穴が設置され、前記作動チャンバの上端には連動溝が設置され、前記作動チャンバと前記連動溝との間にはパイプ穴が連通するように設置され、前記連動溝の中には蒸気装置が設置され、前記蒸気装置と前記抜き穴とが互いに連結され、前記作動チャンバの上端壁にはフックが設置され、前記作動チャンバの上下端壁にはドア軸が回転可能に連結され、前記ドア軸には開閉扉が設置され、前記開閉扉の中には扉を開けられるスイッチ装置が設置され、前記機械本体の下端面には移動できる四つの車輪が設置されることを特徴とするシャツのアイロン掛け機。
【請求項２】
前記蒸気装置は回転軸を含み、前記回転軸と前記連動溝の前後端壁とが回転可能に連結され、前記回転軸には引き板が設置され、前記引き板の左端面には取っ手が固定的に設置され、前記引き板の右端面には栓が設置され、前記栓の右端にはゴムマットが固定的に装着され、前記連動溝の中には水タンクが設置され、前記水タンクの外周には電熱線が設置され、前記水タンクの中には水タンク溝が設置され、前記水タンク溝の左端壁には前記水タンクを貫通している加水溝が設置され、前記栓と前記ゴムマットとが前記加水溝とスライド可能に連結され、前記水タンク溝の右端壁には前記水タンクを貫通している蒸気口が設置され、前記蒸気口の右端にはホースが連結され、前記ホースが前記パイプ穴を通り抜け、且つ前記抜き穴の上端壁と固定的に連結され、前記連動溝の上下端壁には細スライド溝が対称的に設置され、前記細スライド溝の中には引き動かしロッドがスライド可能に連結され、前記引き動かしロッドと前記細スライド溝との間にはいずれも復帰ばねが連結され、前記ホースが前記引き動かしロッドに巻き付き、前記電熱線を開け、前記水タンク溝の中に水を水蒸気になるまで加熱することができ、水蒸気が前記ホースを通して前記アイロン掛け板の中に入ることを特徴とする請求項１に記載のシャツのアイロン掛け機。
【請求項３】
前記スイッチ装置はロープ車溝を含み、前記ロープ車溝の前後端壁には貫通軸が回転可能に連結され、前記貫通溝のうち前記ロープ車の中に位置する部分にはロープ車が固定的に設置され、前記貫通軸が後方に伸びて外部に入っており、前記貫通軸の後端には握りが固定的に設置され、前記ロープ車溝の下端壁には縄溝が設置され、前記縄溝の下端壁にはロックブロックスライド溝が設置され、前記作動チャンバの下端壁には前記ロックブロックスライド溝と相対であるロックブロック引っ掛かり溝が設置され、前記ロックブロック引っ掛かり溝と前記ロックブロックスライド溝との中にはロックブロックがスライド可能に連結され、前記ロックブロックと前記ロックブロックスライド溝の上端壁には連結ばねが連結され、前記ロックブロックの上端面には縄が設置され、前記縄のもう一端が前記ロープ車と固定的に連結され、前記握りを回し、それにより前記貫通軸が前記ロープ車を回転連動させ、それにより前記縄が前記ロックブロックを前記ロックブロック引っ掛かり溝から引き出し、それにより前記開閉扉が開けられることを特徴とする請求項１に記載のシャツのアイロン掛け機。
【発明の詳細な説明】
【技術分野】
【０００１】
本発明は服保護分野に関わり、具体的にはシャツのアイロン掛け機である。
【背景技術】
【０００２】
たくさんのホワイトカラーが出勤する時、会社にシャツを着ることを要求され、しかしシャツのお手入れは非常に面倒で、シャツを洗い終わった後で通常アイロンを掛けることが必要であり、但し家庭用のアイロン掛け機でシャツにアイロンを掛ける速度が非常に遅く、少しずつアイロンを掛ける必要がある。
【先行技術文献】
【特許文献】
【０００３】
【特許文献１】中国特許出願公開第１０１２４５５４５号明細書
【発明の概要】
【発明が解決しようとする課題】
【０００４】
本発明はシャツのアイロン掛け機を提供し、上記技術背景に取り上げられた問題を解決することを目的とする。
【課題を解決するための手段】
【０００５】
上記の目的を実現するため、本発明は以下の技術プランを提供する：本発明のシャツのアイロン掛け機は機械本体を含み、前記機械本体の中には作動チャンバが設置され、前記作動チャンバの下端には駆動スライド溝が設置され、前記駆動スライド溝と前記作動チャンバとの間には支持ロッド溝が左右対称的に連通するように連結され、前記作動チャンバの後端壁には親ねじモータが設置され、前記親ねじモータの前端には親ねじが動力が伝達できるように連結され、前記親ねじの前端が前記駆動スライド溝の前端壁と回転可能に連結され、前記親ねじには駆動ブロックがねじ山によって連結され、前記駆動ブロックの中には動力チャンバが設置され、前記動力チャンバの下端壁には縦軸が左右対称的に設置され、その中、左端の前記縦軸の下端には昇降モータが動力が伝達できるように連結され、前記昇降モータが前記動力チャンバの下端壁と固定的に連結され、右端の前記縦軸の下端が前記動力チャンバの下端壁と回転できるように連結され、二つの前記縦軸がそれぞれ上方に伸びており、且つ前記作動チャンバの中に入っており、前記縦軸の下端にはそれぞれプーリが固定的に設置され、二つの前記プーリの間にはベルトが連結され、前記縦軸のうち前記作動チャンバの中に位置する部分にはアイロン掛け板がねじ山により連結され、前記アイロン掛け板の中には空気室が設置され、前記空気室の後端壁には小穴が設置され、前記空気室の上端壁には抜き穴が設置され、前記作動チャンバの上端には連動溝が設置され、前記作動チャンバと前記連動溝との間にはパイプ穴が連通するように設置され、前記連動溝の中には蒸気装置が設置され、前記蒸気装置と前記抜き穴とが互いに連結され、前記作動チャンバの上端壁にはフックが設置され、前記作動チャンバの上下端壁にはドア軸が回転可能に連結され、前記ドア軸には開閉扉が設置され、前記開閉扉の中には扉を開けられるスイッチ装置が設置され、前記機械本体の下端面には移動できる四つの車輪が設置される。
【０００６】
好ましくは、前記蒸気装置は回転軸を含み、前記回転軸と前記連動溝の前後端壁とが回転可能に連結され、前記回転軸には引き板が設置され、前記引き板の左端面には取っ手が固定的に設置され、前記引き板の右端面には栓が設置され、前記栓の右端にはゴムマットが固定的に装着され、前記連動溝の中には水タンクが設置され、前記水タンクの外周には電熱線が設置され、前記水タンクの中には水タンク溝が設置され、前記水タンク溝の左端壁には前記水タンクを貫通している加水溝が設置され、前記栓と前記ゴムマットとが前記加水溝とスライド可能に連結され、前記水タンク溝の右端壁には前記水タンクを貫通している蒸気口が設置され、前記蒸気口の右端にはホースが連結され、前記ホースが前記パイプ穴を通り抜け、且つ前記抜き穴の上端壁と固定的に連結され、前記連動溝の上下端壁には細スライド溝が対称的に設置され、前記細スライド溝の中には引き動かしロッドがスライド可能に連結され、前記引き動かしロッドと前記細スライド溝との間にはいずれも復帰ばねが連結され、前記ホースが前記引き動かしロッドに巻き付き、前記電熱線を開け、前記水タンク溝の中に水を水蒸気になるまで加熱することができ、水蒸気が前記ホースを通して前記アイロン掛け板の中に入る。
【０００７】
好ましくは、前記スイッチ装置はロープ車溝を含み、前記ロープ車溝の前後端壁には貫通軸が回転可能に連結され、前記貫通溝のうち前記ロープ車の中に位置する部分にはロープ車が固定的に設置され、前記貫通軸が後方に伸びて外部に入っており、前記貫通軸の後端には握りが固定的に設置され、前記ロープ車溝の下端壁には縄溝が設置され、前記縄溝の下端壁にはロックブロックスライド溝が設置され、前記作動チャンバの下端壁には前記ロックブロックスライド溝と相対であるロックブロック引っ掛かり溝が設置され、前記ロックブロック引っ掛かり溝と前記ロックブロックスライド溝との中にはロックブロックがスライド可能に連結され、前記ロックブロックと前記ロックブロックスライド溝の上端壁には連結ばねが連結され、前記ロックブロックの上端面には縄が設置され、前記縄のもう一端が前記ロープ車と固定的に連結され、前記握りを回し、それにより前記貫通軸が前記ロープ車を回転連動させ、それにより前記縄が前記ロックブロックを前記ロックブロック引っ掛かり溝から引き出し、それにより前記開閉扉が開けられる。
【発明の効果】
【０００８】
以上により、本発明の有益な効果は：本装置は伝統的なアイロン掛けの速度が遅い欠点を解消でき、上下に二回移動すればシャツ全体にアイロン掛けることができ、それと同時に本装置には車輪が設置されていることにより日常に使用する時の出し入れに便利であり、本装置は機械の伝動係合により、ミスする可能性を下げ、装置のコストを節約し、且つ省エネルギーである。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得できる。
【００１０】
【図１】図１は本発明のシャツのアイロン掛け機の全体全断面の正面構成模式図
【図２】図２は本発明の図１のＡの局部拡大図
【図３】図３は本発明の図１のＢ−Ｂ方向の断面図
【図４】図４は本発明の図３のＣ−Ｃ方向の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
下記に図１−４を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１４】
図１−４を参照して、本発明のシャツのアイロン掛け機は機械本体２１を含み、前記機械本体２１の中には作動チャンバ６６が設置され、前記作動チャンバ６６の下端には駆動スライド溝６７が設置され、前記駆動スライド溝６７と前記作動チャンバ６６との間には支持ロッド溝２７が左右対称的に連通するように連結され、前記作動チャンバ６６の後端壁には親ねじモータ５４が設置され、前記親ねじモータ５４の前端には親ねじ３１が動力が伝達できるように連結され、前記親ねじ３１の前端が前記駆動スライド溝６７の前端壁と回転可能に連結され、前記親ねじ３１には駆動ブロック２８がねじ山によって連結され、前記駆動ブロック２８の中には動力チャンバ６９が設置され、前記動力チャンバ６９の下端壁には縦軸３０が左右対称的に設置され、その中、左端の前記縦軸３０の下端には昇降モータ２９が動力が伝達できるように連結され、前記昇降モータ２９が前記動力チャンバ６９の下端壁と固定的に連結され、右端の前記縦軸３０の下端が前記動力チャンバ６９の下端壁と回転できるように連結され、二つの前記縦軸３０がそれぞれ上方に伸びており、且つ前記作動チャンバ６６の中に入っており、前記縦軸３０の下端にはそれぞれプーリ３２が固定的に設置され、二つの前記プーリ３２の間にはベルト７０が連結され、前記縦軸３０のうち前記作動チャンバ６６の中に位置する部分にはアイロン掛け板２５がねじ山により連結され、前記アイロン掛け板２５の中には空気室２６が設置され、前記空気室２６の後端壁には小穴２４が設置され、前記空気室２６の上端壁には抜き穴２３が設置され、前記作動チャンバ６６の上端には連動溝４８が設置され、前記作動チャンバ６６と前記連動溝４８との間にはパイプ穴７２が連通するように設置され、前記連動溝４８の中には蒸気装置１０１が設置され、前記蒸気装置１０１と前記抜き穴２３とが互いに連結され、前記作動チャンバ６６の上端壁にはフック５０が設置され、前記作動チャンバ６６の上下端壁にはドア軸５６が回転可能に連結され、前記ドア軸５６には開閉扉５１が設置され、前記開閉扉５１の中には扉を開けられるスイッチ装置１０２が設置され、前記機械本体２１の下端面には移動できる四つの車輪３３が設置される。
【００１５】
前記蒸気装置１０１は回転軸３９を含み、前記回転軸３９と前記連動溝４８の前後端壁とが回転可能に連結され、前記回転軸３９には引き板３７が設置され、前記引き板３７の左端面には取っ手３６が固定的に設置され、前記引き板３７の右端面には栓４０が設置され、前記栓４０の右端にはゴムマット４１が固定的に装着され、前記連動溝４８の中には水タンク４２が設置され、前記水タンク４２の外周には電熱線７４が設置され、前記水タンク４２の中には水タンク溝４３が設置され、前記水タンク溝４３の左端壁には前記水タンク４２を貫通している加水溝３５が設置され、前記栓４０と前記ゴムマット４１とが前記加水溝３５とスライド可能に連結され、前記水タンク溝４３の右端壁には前記水タンク４２を貫通している蒸気口４４が設置され、前記蒸気口４４の右端にはホース２２が連結され、前記ホース２２が前記パイプ穴７２を通り抜け、且つ前記抜き穴２３の上端壁と固定的に連結され、前記連動溝４８の上下端壁には細スライド溝４６が対称的に設置され、前記細スライド溝４６の中には引き動かしロッド４５がスライド可能に連結され、前記引き動かしロッド４５と前記細スライド溝４６との間にはいずれも復帰ばね４７が連結され、前記ホース２２が前記引き動かしロッド４５に巻き付き、前記電熱線７４を開け、前記水タンク溝４３の中に水を水蒸気になるまで加熱することができ、水蒸気が前記ホース２２を通して前記アイロン掛け板２５の中に入る。
【００１６】
前記スイッチ装置１０２はロープ車溝５７を含み、前記ロープ車溝５７の前後端壁には貫通軸５９が回転可能に連結され、前記貫通溝５９のうち前記ロープ車５７の中に位置する部分にはロープ車５８が固定的に設置され、前記貫通軸５９が後方に伸びて外部に入っており、前記貫通軸５９の後端には握り５２が固定的に設置され、前記ロープ車溝５７の下端壁には縄溝６０が設置され、前記縄溝６０の下端壁にはロックブロックスライド溝６２が設置され、前記作動チャンバ６６の下端壁には前記ロックブロックスライド溝６２と相対であるロックブロック引っ掛かり溝６４が設置され、前記ロックブロック引っ掛かり溝６４と前記ロックブロックスライド溝６２との中にはロックブロック６５がスライド可能に連結され、前記ロックブロック６５と前記ロックブロックスライド溝６２の上端壁には連結ばね６３が連結され、前記ロックブロック６５の上端面には縄６１が設置され、前記縄６１のもう一端が前記ロープ車５８と固定的に連結され、前記握り５２を回し、それにより前記貫通軸５９が前記ロープ車５８を回転連動させ、それにより前記縄６１が前記ロックブロック６５を前記ロックブロック引っ掛かり溝６４から引き出し、それにより前記開閉扉５１が開けられる。
【００１７】
使用する時、握り５２を回し、それにより貫通軸５９がロープ車５８を回転連動させ、それにより縄６１がロックブロック６５をロックブロック引っ掛かり溝６４から引き出し、開閉扉５１を開け、その後、シャツを掛けているハンガーをフック５０に掛け、そして開閉扉５１を閉め、取っ手３６により引き板３７が開けられ、それから加水溝３５により水タンク４２の中に湯を加え、電熱線７４を開けて水タンク４３の中の水を加熱し、水蒸気が生み出され、その後親ねじモータ５４を始動し、それにより親ねじ３１を回転連動させ、駆動ブロック２８を連動させて右方に移動させ、それによりアイロン掛け板２５の後端面とシャツと開閉扉５１の前端面とが当接し、その後昇降モータ２９を始動し、縦軸３０とプーリ３２によってアイロン掛け板２５を連動させて上下に移動させ、水蒸気がホース２２を通して空気室２６に入り、そして小穴２４によりシャツを加熱してそれにアイロンを掛け、それから作動チャンバ６６を開け、シャツをひっくり返し、再びアイロン掛けすればいい。
【００１８】
本発明の有益な効果は：本装置は伝統的なアイロン掛けの速度が遅い欠点を解消でき、上下に二回移動すればシャツ全体にアイロン掛けることができ、それと同時に本装置には車輪が設置されていることにより日常に使用する時の出し入れに便利であり、本装置は機械の伝動係合により、ミスする可能性を下げ、装置のコストを節約し、且つ省エネルギーである。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020175090.tif 000003
【図２】
2020175090.tif 000004
【図３】
2020175090.tif 000005
【図４】
2020175090.tif 000006
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
機械本体を含み、前記機械本体の中には作動チャンバが設置され、前記作動チャンバの下端には駆動スライド溝が設置され、前記駆動スライド溝と前記作動チャンバとの間には支持ロッド溝が左右対称的に連通するように連結され、前記作動チャンバの後端壁には親ねじモータが設置され、前記親ねじモータの前端には親ねじが動力が伝達できるように連結され、前記親ねじの前端が前記駆動スライド溝の前端壁と回転可能に連結され、前記親ねじには駆動ブロックがねじ山によって連結され、前記駆動ブロックの中には動力チャンバが設置され、前記動力チャンバの下端壁には縦軸が左右対称的に設置され、その中、左端の前記縦軸の下端には昇降モータが動力が伝達できるように連結され、前記昇降モータが前記動力チャンバの下端壁と固定的に連結され、右端の前記縦軸の下端が前記動力チャンバの下端壁と回転できるように連結され、二つの前記縦軸がそれぞれ上方に伸びており、且つ前記作動チャンバの中に入っており、前記縦軸の下端にはそれぞれプーリが固定的に設置され、二つの前記プーリの間にはベルトが連結され、前記縦軸のうち前記作動チャンバの中に位置する部分にはアイロン掛け板がねじ山により連結され、前記アイロン掛け板の中には空気室が設置され、前記空気室の後端壁には小穴が設置され、前記空気室の上端壁には抜き穴が設置され、前記作動チャンバの上端には連動溝が設置され、前記作動チャンバと前記連動溝との間にはパイプ穴が連通するように設置され、前記連動溝の中には蒸気装置が設置され、前記蒸気装置と前記抜き穴とが互いに連結され、前記作動チャンバの上端壁にはフックが設置され、前記作動チャンバの上下端壁にはドア軸が回転可能に連結され、前記ドア軸には開閉扉が設置され、前記開閉扉の中には扉を開けられるスイッチ装置が設置され、前記機械本体の下端面には移動できる四つの車輪が設置され、
前記蒸気装置は回転軸を含み、前記回転軸と前記連動溝の前後端壁とが回転可能に連結され、前記回転軸には引き板が設置され、前記引き板の左端面には取っ手が固定的に設置され、前記引き板の右端面には栓が設置され、前記栓の右端にはゴムマットが固定的に装着され、前記連動溝の中には水タンクが設置され、前記水タンクの外周には電熱線が設置され、前記水タンクの中には水タンク溝が設置され、前記水タンク溝の左端壁には前記水タンクを貫通している加水溝が設置され、前記栓と前記ゴムマットとが前記加水溝とスライド可能に連結され、前記水タンク溝の右端壁には前記水タンクを貫通している蒸気口が設置され、前記蒸気口の右端にはホースが連結され、前記ホースが前記パイプ穴を通り抜け、且つ前記抜き穴の上端壁と固定的に連結され、前記連動溝の上下端壁には細スライド溝が対称的に設置され、前記細スライド溝の中には引き動かしロッドがスライド可能に連結され、前記引き動かしロッドと前記細スライド溝との間にはいずれも復帰ばねが連結され、前記ホースが前記引き動かしロッドに巻き付き、前記電熱線を開け、前記水タンク溝の中に水を水蒸気になるまで加熱することができ、水蒸気が前記ホースを通して前記アイロン掛け板の中に入ることができ、
前記スイッチ装置はロープ車溝を含み、前記ロープ車溝の前後端壁には貫通軸が回転可能に連結され、前記貫通溝のうち前記ロープ車の中に位置する部分にはロープ車が固定的に設置され、前記貫通軸が後方に伸びて外部に入っており、前記貫通軸の後端には握りが固定的に設置され、前記ロープ車溝の下端壁には縄溝が設置され、前記縄溝の下端壁にはロックブロックスライド溝が設置され、前記作動チャンバの下端壁には前記ロックブロックスライド溝と相対であるロックブロック引っ掛かり溝が設置され、前記ロックブロック引っ掛かり溝と前記ロックブロックスライド溝との中にはロックブロックがスライド可能に連結され、前記ロックブロックと前記ロックブロックスライド溝の上端壁には連結ばねが連結され、前記ロックブロックの上端面には縄が設置され、前記縄のもう一端が前記ロープ車と固定的に連結され、前記握りを回し、それにより前記貫通軸が前記ロープ車を回転連動させ、それにより前記縄が前記ロックブロックを前記ロックブロック引っ掛かり溝から引き出し、それにより前記開閉扉が開けられ、
前記握りを回し、それにより前記貫通軸が前記ロープ車を回転連動させ、それにより前記縄が前記ロックブロックを前記ロックブロック引っ掛かり溝から引き出し、前記開閉扉を開け、その後、シャツを掛けているハンガーを前記フックに掛け、そして前記開閉扉を閉め、前記取っ手により前記引き板が開けられ、それから前記加水溝により前記水タンクの中に湯を加え、前記電熱線を開けて前記水タンクの中の水を加熱し、水蒸気が生み出され、その後前記親ねじモータを始動し、それにより前記親ねじを回転連動させ、前記駆動ブロックを連動させて右方に移動させ、それにより前記アイロン掛け板の後端面とシャツと前記開閉扉の前端面とが当接し、その後前記昇降モータを始動し、前記縦軸と前記プーリによって前記アイロン掛け板を連動させて上下に移動させ、前記水蒸気が前記ホースを通して前記空気室に入り、そして前記小穴によりシャツを加熱してそれにアイロンを掛け、それから前記作動チャンバを開け、シャツをひっくり返し、再びアイロン掛けすればいいことを特徴とするシャツのアイロン掛け機。